(57)【要約】【課題】近距離での視聴を禁止することができるリモコン・システムを提供すること。【解決手段】リモコン送信機１００と該リモコン送信機によって遠隔操作されるディスプレイ装置１０とを備えたリモコン・システムにおいて、リモコン送信機１００は、遠隔操作用の第１の波動と、該第１の波動とは伝播速度の異なる第２の波動とを同時に送信する手段１１０、１２０を備えており、ディスプレイ装置１０は、第１の波動と第２の波動とを同時に受信する手段２００と、これら２つの波動の伝播速度の違いからリモコン送信機１００とディスプレイ装置１０との間の距離を測定して測距結果を出力する測距手段４００と、測距結果と基準距離データとを比較して比較結果を出力する比較手段３００と、比較結果に基づいてリモコン送信機１００による遠隔操作を有効又は無効にする制御手段３００とを具備する。【選択図】　図２
2004096599.tif 000002
【特許請求の範囲】
【請求項１】
リモコン送信機と該リモコン送信機によって遠隔操作されるディスプレイ装置とを備えたリモコン・システムであって、
前記リモコン送信機は、
遠隔操作用の第１の波動と、前記第１の波動とは伝播速度の異なる第２の波動とを同時に送信する手段
を備えており、
前記ディスプレイ装置は、
前記第１の波動と前記第２の波動とを同時に受信する手段と、
これら２つの波動の伝播速度の違いから前記リモコン送信機と前記ディスプレイ装置との間の距離を測定して測距結果を出力する測距手段と、
前記測距結果と基準距離データとを比較して比較結果を出力する比較手段と、
前記比較結果に基づいて前記リモコン送信機による遠隔操作を有効又は無効にする制御手段と、
を具備することを特徴とするリモコン・システム。
【請求項２】
前記制御手段が、前記比較結果に基づいて前記リモコン送信機による遠隔操作を無効にするよう前記ディスプレイ装置の状態を制御することを特徴とする、請求項１記載のリモコン・システム。
【請求項３】
前記ディスプレイ装置の状態の制御は、前記ディスプレイ装置の電源をオフにする制御、前記ディスプレイ装置に映像を表示させない制御および音量を大きくまたは小さくする制御のうちの少なくとも一つであることを特徴とする、請求項２記載のリモコン・システム。
【請求項４】
前記リモコン送信機は、前記リモコン送信機による遠隔操作を有効又は無効にするよう前記制御手段に指示する信号を送信するための設定ボタンを備えることを特徴とする、請求項１〜３のいずれかに記載のリモコン・システム。
【請求項５】
前記設定ボタンが操作されたことに応答して、前記ディスプレイ装置に、前記設定ボタンによる指示内容を示す表示を行わせることを特徴とする、請求項４記載のリモコン・システム。
【請求項６】
前記第１の波動が赤外線であり、
前記第２の波動が音波であり、
前記ディスプレイ装置の前記受信する手段が、前記ディスプレイ装置の中央部に設けられた赤外線受信センサと音波受信センサとを備えることを特徴とする、請求項１〜５のいずれかに記載のリモコン・システム。
【発明の詳細な説明】
【０００１】
【発明の属する技術分野】
本発明は、リモートコントロール送信機で遠隔操作されるテレビジョン受像機、モニター装置、プロジェクタ等のディスプレイ装置とリモコン装置とを有するリモコン・システムに関するもので、特に、近距離で視聴することを禁止することが可能な機能を有するリモコン・システムに関する。
【０００２】
【従来の技術】
テレビジョン受信機を近距離で視聴することや、ゲームなどカラフルな画面を近距離で長時間視聴することに関連して、特に子供の視力低下や「てんかん」等の発病の原因になっているのではないかといった話題がニュースで取り上げられている。
【０００３】
こうした事情を背景として、ほとんどのディスプレイ装置にリモコン装置が付属されていることに着目し、ディスプレイ装置の近くで視聴することを禁止する機能をリモコン装置に持たせる技術が開発され、その一例が特許文献１に開示されている。特許文献１が開示しているのは遠隔操作可能なディスプレイ装置であって、該装置の前面に間隔をおいて複数のリモコン受信機が配置されており、各受信機は受信指向性を有する同一受信感度の受信センサを備えている。リモコン受信機は、全ての受信センサで受信可能な共通受信エリアをディスプレイ装置の前面から一定距離以上離れたエリア内のみに設けるように配置され、制御部は、全ての受信センサで同一のタイミングで受信された信号が同一であると判断されたとき、視聴者が共通受信エリア内に居ると判断して、リモコンによるディスプレイ装置の制御を可能とするものである。
【０００４】
【特許文献１】
特開２００１−３０６０４４号公報
【０００５】
【発明が解決しようとする課題】
上記特許文献１においては、ディスプレイ装置は受信センサの指向性を利用しているため、　例えば受信センサを最小数の２個設けた場合には、リモコン装置によりディスプレイ装置を制御できるエリアである視聴可能エリアがディスプレイ装置の中央部前方に限定されてしまうことが多く、視聴可能エリアを可変とすると、視聴可能エリアに応じて受信センサの指向特性を変えることが必要となるので、使い勝手が悪いという課題がある。また、視聴可能エリアを広くするためには、複数の受信センサと複雑な検出制御が必要となるという課題もある。
【０００６】
本発明は上記の従来技術の課題に鑑みて提案されたものであり、本発明の目的は、ディスプレイ装置を近距離で視聴することを禁止する機能を有するリモコン・システムを提供することにある。
【０００７】
【課題を解決するための手段】
上記の課題を解決するため、請求項１の発明は、
リモコン送信機と該リモコン送信機によって遠隔操作されるディスプレイ装置とを備えたリモコン・システムであって、
前記リモコン送信機は、
遠隔操作用の第１の波動と、前記第１の波動とは伝播速度の異なる第２の波動とを同時に送信する手段
を備えており、
前記ディスプレイ装置は、
前記第１の波動と前記第２の波動とを同時に受信する手段と、
これら２つの波動の伝播速度の違いから前記リモコン送信機と前記ディスプレイ装置との間の距離を測定して測距結果を出力する測距手段と、
前記測距結果と基準距離データとを比較して比較結果を出力する比較手段と、
前記比較結果に基づいて前記リモコン送信機による遠隔操作を有効又は無効にする制御手段と、
を具備することを特徴とするリモコン・システム、
を提供する。
【０００８】
請求項２の発明は、前記制御手段が、前記比較結果に基づいて前記リモコン送信機による遠隔操作を無効にするよう前記ディスプレイ装置の状態を制御することを特徴とする。
【０００９】
請求項３の発明は、前記ディスプレイ装置の状態の制御が、前記ディスプレイ装置の電源をオフにする制御、前記ディスプレイ装置に映像を表示させない制御および音量を大きくまたは小さくする制御のうちの少なくとも一つであるようにしたものである。
【００１０】
請求項４の発明は、前記リモコン送信機が、前記リモコン送信機による遠隔操作を有効又は無効にするよう前記制御手段に指示する信号を送信するための設定ボタンを備えることを特徴とする。
【００１１】
請求項５の発明は、前記設定ボタンが操作されたことに応答して、前記ディスプレイ装置に、前記設定ボタンによる指示内容を示す表示を行わせることを特徴とする。
【００１２】
請求項６の発明は、前記第１の波動が赤外線であり、前記第２の波動が音波であり、前記ディスプレイ装置の前記受信する手段が、前記ディスプレイ装置の中央部に設けられた赤外線受信センサと音波受信センサとを備えることを特徴とする。
【００１３】
【発明の実施の形態】
以下、本発明に係るリモコン・システムを、液晶テレビジョン装置とその遠隔操作のためのリモコン送信機とを備えるシステムに適用した実施の形態（以下、本発明の一つの実施の形態という）に関して、図１〜図３を参照しながら説明する。なお、これらの図面において、同一の参照数字は同じ構成要素を指すものとする。
【００１４】
図１は、本発明の一つの実施の形態に使用される液晶テレビジョン装置とそのための視聴可能エリアとを概略的に示す図で、液晶テレビジョン装置１０はその前面（すなわち、視聴者に対向する面）にリモコン受信部２００を備えており、リモコン受信部２００は赤外線受信センサ２１０と音波センサ２２０とを備えている。図３は、赤外線受信センサ２１０と音波センサ２２０とが液晶テレビジョン装置１０のディスプレイの下方に配置されていることを示している。
【００１５】
液晶テレビジョン装置１０の遠隔操作は、その中央前方に、特に子供の視力の悪化や「てんかん」等の発病を防止することを考慮して設定された扇型の視聴可能エリア２０内で行われた場合にのみ可能であり、視聴可能エリア２０の外から液晶テレビジョン装置１０を遠隔操作することはできないようにされている。これにより近距離での視聴が禁止される。視聴可能エリア２０をどう設定するかについては後述する。なお、視聴可能エリア２０の形状は赤外線受信センサ２１０と音波センサ２２０のと受信面形状などで決定され、通常は図１に示すような扇形となる。
【００１６】
図２は、本発明の一つの実施の形態がリモコン送信機１００と液晶テレビジョン装置１０とから構成されることを示しており、液晶テレビジョン装置１０においては、リモコン受信部２００と電気的に接続されたリモコン信号処理部がブロック図の形で示されている。
【００１７】
図２において、リモコン送信機１００は遠隔操作のための指令を送る赤外線と該赤外線とは伝搬速度の異なる波、例えば音波を同時に送出することができる。リモコン送信機１００は、従来のものと同様に、電源オン／オフキー、テンキー、チャンネルアップキー、チャンネルダウンキー、音量アップキー、音量ダウンキー、ビデオ／テレビのモード切り換えキー等のキーを備えており、これらのキーのいずれかが操作されたときに当該キーが要求する操作内容を指示するリモコン信号を生成するマイコンと、このマイコンで生成されたリモコン信号に応じて赤外線を発光する赤外線発光器１１０および音波発生器１２０とを備える。
【００１８】
赤外線発光器１１０は、マイコンからのリモコン信号に応答して液晶テレビジョン装置１０において行われる制御内容を指示する制御信号を送出し、音波発生器１２０は赤外線発光器１１０からの赤外線の発生と同時に音波を発生する。これら制御信号と音波を受信して、液晶テレビジョン装置１０においては、赤外線と音波との伝搬時間の相違に基づく受信時間の差からリモコン送信機１００と液晶テレビジョン装置１０との間の距離を測定する。これについては後述する。
【００１９】
赤外線発光器１１０からの制御信号と音波発生器１２０からの音波との伝搬速度の差を利用した測距方法は、例えば、落雷位置を認識する原理に類似している。つまり、雷で発生する光はほぼ瞬時に観測地点に到達するのに対し、雷音はほぼ秒速３４０ｍで観測地点に到達するので、稲妻を視認してから、雷鳴を聞くまでの時間差を計測すれば、落雷地点までの概略の距離を測定することができる。なお、リモコン送信機１００の操作位置と、そのリモコン送信機１００を操作するユーザの鑑賞位置とは、液晶テレビジョン装置１０画面から見てほぼ同距離にあるとみなすことができ、むしろ操作位置の方が鑑賞位置よりもやや液晶テレビジョン装置１０に近いことがほとんどである。
【００２０】
一方、図１により既に説明したように赤外線受信センサ２１０と音波センサ２２０とを前面に有する液晶テレビジョン装置１０は、制御部３００、計測部４００、電源制御部５００ａ、チャンネル制御部５００ｂ、音量制御部５００ｃおよび本体側操作ボタン部６００を備えている。
【００２１】
液晶テレビジョン装置１０のリモコン受信部２００は、リモコン送信機１００から送出された赤外線および音波を赤外線受信センサ２１０および音波センサ２２０でそれぞれ受信して、これらのセンサ２１０、２２０の出力を計測部４００へ送る。リモコン受信部２００は、視聴者が液晶テレビジョン装置１０の前面から液晶テレビジョン装置１０の鑑賞に適した所定の距離範囲内にいるのかどうかを判断するための信号を受信する必要があるので、図３に示すように液晶テレビジョン装置１０の全面中央部に配置されることが望ましい。
【００２２】
計測部４００は、赤外線と音波との伝搬速度の差に起因して赤外線受信センサ２１０の出力を受け取る時間と音波センサ２２０の出力を受け取る時間との間に差があることを利用して、液晶テレビジョン装置１０とリモコン送信機１００との距離を測定し、測距結果を制御部３００に供給する。
【００２３】
制御部３００は、近距離視聴を禁止するための制御を含む液晶テレビジョン装置１０の総合的な制御を行うものであり、マイコンやＡＳＩＣ等から構成され、ＣＰＵ部と不揮発性メモリ等のメモリ部とを有している。制御部３００は、リモコン受信部２００および計測部３００からの出力を用いて所定の制御を行う。図２には、制御部３００の制御対象の一部として、電源制御部５００ａ、チャンネル制御部５００ｂおよび音量制御部５００ｃのみが示してある。例えば、制御部３００は、図１に示す視聴可能エリア２０を表すデータを不揮発性メモリ内に蓄積しており、この蓄積されたデータと計測部４００から供給された測距結果とを比較して、視聴者が視聴可能エリア２０内にいるかどうかを判定して液晶テレビジョン装置１０の遠隔操作を可能にし、または禁止する。
【００２４】
さらに、制御部３００は、液晶テレビジョン装置１０の側から操作するための本体側操作ボタン部６００から信号を受け取って所定の制御動作を行う。本体側操作ボタン部６００は、チャンネルアップボタン、チャンネルダウンボタン、音量アップボタン、音量ダウンボタン、ビデオ／テレビ・モード切り換えボタン等の一般的な操作ボタンを備えている。
【００２５】
次に、図１〜図３を用いて本発明の一つの実施の形態の種々の動作をそれぞれの場合に分けて説明する。
（１）電源をオンにする操作
液晶テレビジョン装置１０の電源がオフの状態にあるとき、ユーザーは液晶テレビジョン装置１０の電源を本体側操作ボタン部６００内の電源ボタンを押すことで、または遠隔操作でオンする。遠隔操作で電源をオンにするには、ユーザーはリモコン送信機１００の電源ボタンを押す。すると、リモコン送信機１００からは電源をオンにするよう指示する制御信号と音波が送信される。これら制御信号と音波はリモコン受信部２００の赤外線受信センサ２１０と音波受信センサ２２０とでそれぞれ受信されて計測部４００に入力され、計測部４００では、前述のとおり、赤外線受信センサ２１０で受信した制御信号と音波受信センサ２２０で受信した音波の伝搬速度の違いによる受信時間の差から液晶テレビジョン装置１０とリモコン送信機１００との距離を計測し、制御部３００に測距結果を送る。
【００２６】
このとき、まだ液晶テレビジョン装置１０に近距離視聴禁止機能が設定されていないときには、制御部３００は計測部４００からの測距結果を無視して電源制御部５００ａを制御して電源をオンにする。一方、液晶テレビジョン装置１０においては、電源がオフにされても、近距離視聴禁止機能が設定されていることを示すフラグ（後述する）が制御部３００の不揮発性メモリ内に立てられているため、制御部３００の不揮発性メモリに前記フラグが立っているときには、制御部３００は、不揮発性メモリ内の視聴可能距離データと測距結果とを比較してリモコン送信機１００が視聴可能エリア内にあるかどうかを判定する。リモコン送信機１００が視聴可能エリア２０内にあると判定したときには、制御部３００は電源制御部５００ａを制御し、液晶テレビジョン装置１０の電源をオンする。一方、リモコン送信機１００が視聴可能エリア２０の外にあると判定した場合には、制御部３００は液晶テレビジョン装置１０の電源をオフのままにする。
【００２７】
（２）電源をオフにする操作
液晶テレビジョン装置１０の電源をオフにする操作も、実質的には、オンにする操作と変わらない。すなわち、ユーザーはリモコン送信機１００の電源をオフにするために電源ボタンを押すと、リモコン送信機１００からは電源をオフにするよう指示する制御信号と音波が送信される。これら制御信号と音波はリモコン受信部２００の赤外線受信センサ２１０と音波受信センサ２２０とでそれぞれ受信されて計測部４００に入力され、計測部４００では、前述のとおり、赤外線受信センサ２１０で受信した制御信号と音波受信センサ２２０で受信した音波の伝搬速度の違いによる受信時間の差から液晶テレビジョン装置１０とリモコン送信機１００との距離を計測し、制御部３００に測距結果を送る。
【００２８】
このとき、液晶テレビジョン装置１０に近距離視聴禁止機能が設定されていないときには、制御部３００は計測部４００からの測距結果を無視して電源制御部５００ａを制御して電源をオフにする。一方、液晶テレビジョン装置１０に既に近距離視聴禁止機能が設定されていたときには、制御部３００はその不揮発性メモリ内の視聴可能距離データと測距結果とを比較してリモコン送信機１００が視聴可能エリア内にあるかどうかを判定し、リモコン送信機１００が視聴可能エリア２０内にあると判定したときには、制御部３００は電源制御部５００ａを制御し、液晶テレビジョン装置１０の電源をオフする。一方、リモコン送信機１００が視聴可能エリア２０の外にあると判定した場合には、制御部３００は液晶テレビジョン装置１０の電源をオンのままにする。
【００２９】
（３）近距離視聴禁止機能の設定
電源がオンにされた液晶テレビジョン装置１０に近距離視聴禁止機能を設定するためには、ユーザーはリモコン送信機１００の所定の一組のテンキー、例えば隣接する２個のテンキーを所定の期間、例えば５秒間同時に押す。これら２個の所定のキーが操作されると、操作されたテンキーを表す制御信号および音波信号がリモコン送信機１００から送出される。これらの信号をリモコン受信部２００の赤外線受信センサ２１０および音波受信センサ２２０でそれぞれ検出して計測部４００へ送る。計測部４００では、赤外線と音波との伝搬速度の違いに起因して赤外線受信センサ２１０でチャンネル変更の制御信号を受信した時間と音波受信センサ２２０で音波を受信した時間との間の時間差から、液晶テレビジョン装置１０とリモコン送信機１００との距離を測定し、測距結果を制御部３００に与える。
【００３０】
測距結果を受け取って、制御部３００はその内部の不揮発性メモリに記憶された視聴可能距離データと測距結果とを比較し、リモコン送信機１００が視聴可能エリア２０内にあると判定すると、その不揮発性メモリに近距離視聴禁止機能設定済を示すフラグを立て、液晶テレビジョン装置１０の適所に設けられたランプで近距離視聴禁止機能設定済を数秒間表示する。この表示によってユーザーＡは近距離視聴禁止機能が設定されたことを確認する。一方、リモコン送信機１００が視聴可能エリア２０の外にあると判定したときには、制御部３００は液晶テレビジョン装置１０の電源をオフにする。
【００３１】
（４）近距離視聴禁止機能設定済みでの各種遠隔操作
近距離視聴禁止機能が設定された液晶テレビジョン装置１０の電源がオンにされているときに、ユーザーがチャンネルを変えるためリモコン送信機１００のチャンネルボタンを押すと、リモコン送信機１００からは変更先のチャンネル数を示す制御信号と音波信号とが送信される。これら制御信号と音波信号はリモコン受信部２００の赤外線受信センサ２１０と音波受信センサ２２０でそれぞれ受信された後、計測部４００に入力される。計測部４００では、赤外線と音波との伝搬速度の違いに起因して赤外線受信センサ２１０でチャンネル変更の制御信号を受信した時間と音波受信センサ２２０で音波を受信した時間との間の時間差から、液晶テレビジョン装置１０とリモコン送信機１００との距離を計測し、制御部３００に測距結果を送る。
【００３２】
計測部４００からの測距結果を受け取って、制御部３００は、不揮発性メモリに記憶されている視聴可能エリア２０に関する視聴可能距離データと測距結果とを比較し、ユーザーが視聴可能エリア２０内に居るかどうかを判定する。リモコン送信機１００が視聴可能エリア２０内にあると判定した場合、制御部３００は赤外線受信センサ２１０からの出力に基づいてチャンネル制御部５００ｃを制御し、ユーザーの所望のチャンネルに切り換える。一方、視聴可能エリア２０の外にあると判定した場合には、制御部３００は電源制御部５００を制御して液晶テレビジョン装置１０の電源をオフにする。
【００３３】
音量制御および電源制御の場合もチャンネル切り換えと同様であって、要するに、近距離視聴禁止機能が設定された液晶テレビジョン装置１０の電源がオンの状態にあるときには、リモコン送信機１００が視聴可能エリア２０内にあると判定されたときのみ、チャンネル切り換え、音量制御および電源制御がユーザーの所望とおりに行われ、リモコン送信機１００が視聴可能エリア２０外にあると判定されたときには液晶テレビジョン装置１０の電源がオフにされる。
【００３４】
（５）近距離視聴禁止機能の解除
近距離視聴禁止機能を解除するには、液晶テレビジョン装置１０の電源がオンのときに設定時と同様の操作を行えばよく、液晶テレビジョン装置１０電源がオンの状態で、ユーザーはリモコン送信機１００の近距離視聴禁止機能設定時とは異なる組み合わせの２個のテンキーを５秒間同時に押す。これに基づいて、制御部３００はリモコン送信機１００が視聴可能エリア２０内にあるかどうかを判定し、エリア２０内にあると判定してときには、不揮発性メモリに立てられていた近距離視聴禁止機能設定済みのフラグを解除すると共に、近距離視聴禁止機能が解除されたことを示す表示を数秒間動作させ、ユーザーに対して近距離視聴禁止機能が解除されたことを確認させる。
【００３５】
（６）近距離視聴禁止機能解除下の各種遠隔操作
一方、近距離視聴禁止機能が解除された状態の液晶テレビジョン装置１０の電源がオンのときにリモコン送信機１００のチャンネルボタン等の機能ボタンが押されると、リモコン送信機１００からは制御信号と音波が送信されて計測部４００からの測距データーが制御部３００に送られるが、制御部３００の不揮発性メモリにはフラグが立っていないため、制御部３００は測距結果を無視し、制御信号のみに基づいて制御を行う。
【００３６】
以上、本発明に係るリモコン・システムの一つの実施の形態を詳述したが、本発明はこの実施の形態に限定されるものではない。例えば、リモコン送信機１００が視聴可能エリアの内にあるかどうかの判定を制御部３００で行うとしたが、計測部４００が測距結果に基づいてこうした判定を行い、その判定結果を示す信号を計測部４００から制御部３００に与えて以後の制御を行わせることも可能である。
【００３７】
また、近距離視聴禁止機能が設定されているときに視聴可能エリア２０の外でリモコン送信機１００を操作した場合には液晶テレビジョン装置１０の電源を制御するものとして説明したが、電源制御に代えて、チャンネルを変えられなくしたり、音量を過小または過大にしたり、画面を暗くしたり等、液晶テレビジョン装置１０の持つ機能に応じて、ユーザーの意のままにならない状態や視聴し続けられない状態等の種々の制御を行うことが可能である。
【００３８】
視聴可能エリア２０は、必ずしも扇形のエリアである必要はなく、例えば、液晶テレビジョン装置１０から所定の距離だけ離れた線を想定し、その線に関して液晶テレビジョン装置１０から遠いエリアはリモコン送信機１００を操作してもよいエリアとし、近いエリアはリモコン送信機１００を操作してはいけないエリアとしても、同等の効果を奏することができる。また、近距離視聴禁止機能は解除可能であると説明してきたが、その代わりに、近距離視聴禁止機能を製品出荷時に設定しておいて解除できないようにしてもよい。
【００３９】
更に、これまではリモコン送信機１００で遠隔操作されるのが液晶テレビジョン装置１０であるとして説明してきたが、モニター装置やプロジェクタ等の他のディスプレイ装置であってもよいことは明らかである。
【００４０】
【発明の効果】
以上、本発明に係るリモコン・システムの一つの実施の形態を詳述したところから理解されるように、本発明は、
（１）一般的にユーザーがテレビジョンなどのディスプレイ装置を視聴する場合は、視聴位置で遠隔操作を行なうことが多いことに鑑みて、所定のエリア以内での視聴のみを可能とし、例えばディスプレイ装置に極めて接近して遠隔操作した場合には当該遠隔操作を不能とすることができるので、例えば子供がディスプレイ装置を近距離から視聴することができないようにすることが可能となる、
（２）ディスプレイ装置から近い距離でリモコン送信機を操作した場合には、ディスプレイ装置の電源をオフにしたり、表示を不能にしたり、音量を不適切な大きさにしたりして視聴不能とすることにより、近距離視聴を禁止することができ、また、ディスプレイ装置への接近しすぎを警告することができる、
（３）リモコン送信機に設定ボタンを設けて、ディスプレイ装置に対して遠隔操作内容を有効または無効にする指示を送ることができるようにすることにより、近距離視聴の禁止の設定および解除を容易に行うことが可能となる、
（４）リモコン送信機に設けられた設定ボタンによる指示内容を表示することにより、リモコン送信機による遠隔操作が有効であるか、無効とされるかを容易に確認することができるため、使い勝手が向上する、
という格別の効果を奏する。
【図面の簡単な説明】
【図１】本発明に係るリモコン・システムの一つの実施の形態において液晶テレビジョン装置の前方に設けられた視聴可能エリアを示す概略図である。
【図２】本発明に係るリモコン・システムの一つの実施の形態におけるリモコン送信機と液晶テレビジョン装置の構成とを概略的に示すブロック図である。
【図３】本発明に係るリモコン・システムの一つの実施の形態において液晶テレビジョン装置の前方にリモコン受信部が設けられることを示す図である。
【符号の説明】
１０：液晶テレビジョン装置、　２０：視聴可能エリア、　１００：リモコン送信機、　１１０：赤外線発光器、　１２０：音波発生器、　２００：リモコン受信部、　２１０：赤外線　受信センサ、　２２０：音波受信センサ、　３００：制御部、　４００：計測部、
【図１】
2004096599.tif 000003
【図２】
2004096599.tif 000004
【図３】
2004096599.tif 000005